(57)【特許請求の範囲】
【請求項１】
４辺の連結片で矩形枠状をなすように一体に形成された位置決め部材を床下地等の被設置面の上に並べると共に隣り合う位置決め部材の角部同士を接続した状態で位置決め部材の角部にフロアパネル支持用の支柱を設置して成る二重床の構造であって、上記支柱に、位置決め部材の回避部と位置決め部材の各連結片に設けた位置決め突部を挿通する位置決め穴とを有して被設置面に当接するベース部と、ベース部より上方にてフロアパネルを支持する受け部とを備え、前記位置決め穴をベース部にその周方向に９０°の間隔を隔てて穿孔し、各位置決め穴をベース部の径方向に長さの長くなる長孔状に形成して各位置決め穴に連結片の伸縮変形に伴う位置決め突部の変位を許容するスペースを設けたことを特徴とする二重床の構造。
【請求項２】
前記位置決め部材において、四隅の角部のうちいずれかの角部の上面に接続用突起が設けられると共に接続用突起を設けた角部と異なる角部に接続用突起を挿入して嵌合し得る接続用穴が設けられ、接続用穴が設けられた角部が連結片の厚み分の段上げがされたことを特徴とする請求項１記載の二重床の構造。
【請求項３】
前記接続用突起及び接続用穴は各々一つの角部に複数個設けられたことを特徴とする請求項２記載の二重床の構造。
【請求項４】
前記位置決め部材において、位置決め突部が前記角部の近傍に設けられると共に、位置決め突部と角部との間に切断用溝部が設けられたことを特徴とする請求項１記載の二重床の構造。
【請求項５】
前記位置決め部材において、対向する連結片間に架設される配線器具取着部材の取り付け部が前記連結片に設けられたことを特徴とする請求項１記載の二重床の構造。
【発明の詳細な説明】
【０００１】
【発明の属する技術分野】
本発明は、オフィスビル内の事務所或いはコンピュータビル内の配線システムとして多く採用されている二重床の構造に関するものである。
【０００２】
【従来の技術】
二重床を施工する場合、被設置面である床下地に等間隔に支柱を設置し、床下地上に間隔を隔てるように配置したフロアパネルの四隅を支柱で支持している。このとき支柱を床下地の所定位置に位置決めして設置し、この位置決められた支柱にフロアパネルの四隅を載せて支持している。
【０００３】
このように施工するとき、支柱を所定位置に位置決めして施工する必要があるが、この際、被設置面である床下地１に図２２に示すように墨出しを行い、この墨出しに基づいて所定の位置に支柱を仮置きをし、その後、支柱に接着剤を塗布しながら、フロアーパネルの施工に合わせて支柱の位置決めを行っていた。図２２は墨出しを行った状態であり、符号２は基準線となる墨出し線であって、床下地１の中心を通るように入れてある。符号３はパネルモジュールに合わせて入れた墨出し線である。
【０００４】
【発明が解決しようとする課題】
ところが、上記従来例ではパネルモジュールに合わせて多数本の墨だし線３を入れる必要があり、墨出しに手間を要するという問題がある。また支柱の位置決めに手間を要して施工がしにくいと共に接着剤による接着が必要になるという問題がある。
【０００５】
また、近年、上記のような問題を解決するものとして、実公平４−１２２０１号公報や特開平９−８８３１４号公報に開示されるものも提供されている。
【０００６】
上記前者の実公平４―１２２０１号公報に開示されるものは、４辺の連結片を矩形状になすように配置すると共に４辺の連結片の端部同士を重ねてクリップにて連結して矩形状の連結枠を形成し、連結枠を市松模様状に並べて隣り合う連結枠をクリップで連結し、連結枠の角部に支柱を位置決めして配置し、連結片の端部と支柱とをクリップで固定している。上記例では連結枠を市松模様状に並べ、角部に支柱を位置決めして設置しているために墨出しの手間を少なくできると共に支柱の位置決めが容易にできて施工性を向上できるが、連結枠を組み立てるのに４辺の連結片をクリップで連結しなければならなく、構造が複雑で施工に手間がかかるという問題があり、また連結片を連結したり、連結枠同士を連結したりするのに別部材のクリップを用いなければならなく部品点数が増えると共に施工に手間がかかるという問題がある。また連結枠の角部に支柱を設置したとき、支柱が連結枠にクリップにて固定的に取り付けてあり、連結枠が熱等の環境の影響で伸縮した場合、その影響を受けて支柱が変位し、場合によっては支柱が浮き上がるという問題がある。
【０００７】
また後者の特開平９−８８３１４号公報で開示されるものは、４辺の連結片が矩形状をなすように一体に連結すると共に四隅の角部に接続用突起または接続用穴を設けて連結枠を形成し、この矩形状の連結枠を市松模様状に並べて連結枠同士を接続用突起と接続用穴との嵌合にて連結し、連結枠の角部に支柱を位置決めして配置して固定している。上記例では連結枠を市松模様状に並べ、角部に支柱を位置決めして設置しているために墨出しの手間を少なくできると共に支柱の位置決めが容易にできて施工性を向上でき、また矩形状に一体化された連結枠を用いて施工しているために上記前者のものに比べて施工性を向上することができるが、隣接する連結枠を連結するために角部同士を重ねて接続用突起に接続用穴を嵌合したとき、上に重ねる方が連結枠の厚み分だけ浮き上がり、連結枠に床下地に確実に設置されない浮き上がった部分ができるという問題がある。また隣り合う連結枠を連結するとき、１つの接続用突起と１つの接続用穴を嵌合するために連結枠を連結したときに直角度が出しにくくて施工しにくいという問題があり、また直角度を出して固定するためには別の固定部材が必要になるという問題がある。また連結枠の角部に支柱を設置したとき、支柱が連結枠に固定的に取り付けてあり、連結枠が熱等の環境の影響で伸縮した場合、その影響を受けて支柱が変位し、場合によっては支柱が浮き上がるという問題がある。さらに連結枠は矩形枠状に形成されているために施工性がよい反面、敷設部分の角部等で略Ｌ字状の枠部材を用いなければならない箇所では単に矩形枠状に一体に形成されているだけでは施工が困難であるという問題がある。さらに後者の連結枠の構造の場合、複数種類の連結枠を必要とするという問題がある。
【０００８】
本発明は上記の点に鑑みてなされたものであり、墨出しの手間を少なくでき、支柱の位置決めが容易にできると共に無接着により支柱を固定できるのは勿論、構造が簡単で施工性を向上でき、さらに位置決め部材が温度変化等で伸縮しても安定よく施工できる二重床の構造を提供することを課題とするものである。
【０００９】
【課題を解決するための手段】
上記課題を解決するための本発明の二重床の構造は、４辺の連結片５で矩形枠状をなるように一体に形成された位置決め部材Ａを床下地１等の被設置面の上に並べると共に隣り合う位置決め部材Ａの角部同士を接続した状態で位置決め部材Ａの角部にフロアパネル支持用の支柱Ｃを設置して成る二重床の構造であって、上記支柱Ｃに、位置決め部材Ａの回避部１２と位置決め部材Ａの各連結片５に設けた位置決め突部９を挿通する位置決め穴８とを有して被設置面に当接するベース部１３と、ベース部１３より上方にてフロアパネルＢを支持する受け部１４とを備え、前記位置決め穴８をベース部１３にその周方向に９０°の間隔を隔てて穿孔し、各位置決め穴８をベース部１３の径方向に長さの長くなる長孔状に形成して各位置決め穴８に連結片５の伸縮変形に伴う位置決め突部９の変位を許容するスペースを設けたことを特徴とする。複数の位置決め部材Ａを被設置面上に市松模様状等の形状に並べると共に隣接する角部同士を接続するように設置し、位置決め部材の角部に支柱Ｃを位置決めして支柱Ｃを設置することができる。これにより、被設置面にフロアパネルＢのモジュールに対応した数多くの墨出し線を入れる必要なく支柱Ｃを位置決めできて墨出し線を入れる手間を少なくできる。位置決め部材Ａの角部に支柱Ｃを位置決めして支柱Ｃを設置できることにより支柱Ｃの位置決めが容易にできると共に支柱Ｃを無接着で固定できる。矩形枠状に一体に形成した位置決め部材Ａを並べて施工できて構造を簡単にできると共に施工性を向上できる。位置決め部材Ａの回避部１２に位置決め部材Ａを通すと共に位置決め穴８に位置決め突部９を挿通することで位置決め部材Ａの角部の所定位置に支柱Ｃを位置決めして固定できる。フロアパネルＢは受け部１４に受けて支柱Ｃに支持できる。位置決め部材Ａの連結片５が温度変化等で伸縮しても位置決め突部９が位置決め穴８に対して動き得てその伸縮を吸収することができる。
【００１０】
また前記位置決め部材Ａにおいて、四隅の角部のうちいずれかの角部の上面に接続用突起６が設けられると共に接続用突起６を設けた角部と異なる角部に接続用突起６を挿入して嵌合し得る接続用穴７が設けられ、接続用穴７が設けられた角部が連結片５の厚み分の段上げがされたことを特徴とすることも好ましい。これにより、隣り合う位置決め部材Ａの角部同士は接続用突起６の接続用穴７への嵌合にて接続でき、位置決め部材Ａの角部同士の接続が別部材を要したりすることなく容易にできて位置決め部材Ａの設置が容易できる。接続用穴７が設けられた角部を段上げしたことにより、接続用突起６と接続用穴７とを嵌合して接続した部分でも位置決め部材Ａの下面が浮き上がったりしないように施工できる。
【００１１】
また前記接続用突起６及び接続用穴７は各々一つの角部に複数個設けられたことを特徴とすることも好ましい。隣接する位置決め部材Ａの角部同士を接続するとき複数個の接続用突起６と接続用穴７とが嵌合され、位置決め部材Ａ同士の固定と直角度を確保した連結が可能となる。
【００１２】
また前記位置決め部材Ａにおいて、位置決め突部９が前記角部の近傍に設けられると共に、位置決め突部９と角部との間に切断用溝部１０が設けられたことを特徴とすることも好ましい。位置決め部材Ａの角部に支柱Ｃを位置決めして設置するとき位置決め突部９を位置決め穴８に挿通して位置決めでき、支柱Ｃを位置決め部材Ａの角部に簡単且つ確実に位置決めして固定できる。また矩形枠状の位置決め部材Ａを切断してＬ字状の位置決め部材半体Ａ′として用いる場合、切断用溝部１０にて所定位置を容易に切断できて施工性を向上できる。
【００１３】
また前記位置決め部材Ａにおいて、対向する連結片５間に架設される配線器具取着部材Ｄの取り付け部１１が前記連結片５に設けられたことを特徴とすることも好ましい。被設置面に設置した位置決め部材Ａの連結片５の取り付け部１１に配線器具取着部材Ｄを容易に取り付けることができる。
【００１４】
【発明の実施の形態】
位置決め部材Ａは図１に示すように４辺の同じ長さの帯板状の連結片５で矩形枠状になるように一体に形成されている。この位置決め部材ＡはフロアパネルＢと同じモジュールで形成されており、正方形状のフロアパネルＢの１辺の長さと連結片５の長さが同じ長さになっている。位置決め部材Ａの四隅の角部のうち一方の対角線方向に対向する角部の上面に上方に突出する接続用突起６を設けてあり、他方の対角線方向に対向する角部には接続用突起６を嵌合し得る接続用穴７を上下に貫通するように設けてある。この接続用穴７を設けた角部には他の部分より連結片５の厚さ分だけ段上げして段上げ部１６を設けてある。つまり段上げ部１６に接続用穴７を上下に貫通するように穿孔してあり、段上げ部１６の下に接続用突起６のある角部が収めるようになっている。接続用突起６や接続用穴７は各々の角部で複数個設けてある。本例の場合、接続用突起６や接続用穴７を一対づつ設けてある。位置決め部材Ａの各連結片５には各角から所定寸法寸法離れた位置で位置決め突部９を突設してあり、この位置決め突部９より角側に偏った位置には連結片５の長手方向と直交するように切断用溝部１０を設けてある。
【００１５】
フロアパネルＢは図２に示すように正方形板状に形成されており、金属板よりなる上板１７と下板１８とで構成されており、上板１７の周縁と下板１８の周縁とを重ねて一体化してある。下板１８には複数の椀状の凸面部１９を等間隔に設けてあり、各凸面部１９の中央の上端を上板１７に重ねて一体に結合してある。フロアパネルＢの四隅の角部には円弧状に切り欠いた切り欠き部２０を夫々設けてあり、この切り欠き部２０は下方に段落ちするように屈曲してある。フロアパネルＢの四隅の手前では下板１７に上下に貫通するように嵌合穴２５を穿孔してある。このフロアパネルＢの上面にはタイルカーペットのような表面仕上げ材３６が敷設されるが、表面仕上げ材３６は予めフロアパネルＢの上面に敷設してあっても、フロアパネルＢを施工した後に敷設するものであってもよい。
【００１６】
フロアパネルＢを支持する支柱Ｃは図３や図４に示すように構成されている。この支柱Ｃは円盤状のベース部１３と円盤状の受け部１４と円盤状の押さえ板２８と締め付けねじ２１にて主体が構成されている。ベース部１３は樹脂製の台座２２と金属製の支持台２３とを一体に設けて形成されている。ベース部１３の台座２２の下面には位置決め部材Ａの角部を回避して通すための回避部１２を上方に凹曲させて設けてある。この回避部１２は台座２２の下面に十字状の溝を切るように設けてある。ベース部１３の台座２２の外周には９０°の間隔を隔てて位置決め穴８を穿孔してあり、この位置決め穴８に位置決め部材Ａの位置決め突部９を挿通するようになっている。この位置決め穴８は径方向に長さの長くなる長穴状に形成されている。ベース部１３の支持台２３の中央には雌ねじ穴２４を穿設してある。受け部１４は樹脂で一体に形成されており、ベース部１３の支持台２４の上に載置してベース部１３に固定してある。この受け部１４の外周の上面には周方向に９０°の間隔を隔てて嵌合突起２６を突設してあり、この嵌合突起２６がフロアパネルＢの嵌合穴２５に嵌合し得るようになっている。受け部１４の中央には上下に貫通するように貫通穴２７を設けてあり、貫通穴２７の上に押さえ板２８を配置し、押さえ板２８の中央に回転自在に挿通した締め付けねじ２１を貫通穴２７に挿通し、締め付けねじ２１の先端を雌ねじ穴２４に螺合してある。
【００１７】
被設置面としての床下地１の上に位置決め部材Ａを設置する場合次のように並べて設置される。先ず、図５、図６に示すように床下地１に墨出して墨出し線２が入れられる。この墨出し線２は基準線となる線だけで床下地のセンターを通る線である。この墨出し線２を基準にして位置決め部材Ａを並べて設置されるが、このとき位置決め部材Ａは図６（ａ）（ｂ）の順や図７に示すように順次並べられて市松模様状になるように設置される。位置決め部材Ａを並べたとき、図８に示すように隣り合う位置決め部材Ａの角部間では段上げ部１６が上になるように重ねられ、接続用穴７が接続用突起６に嵌合されて隣り合う位置決め部材Ａが接続される。このとき、複数個の接続用穴７と接続用突起６とが嵌合するために位置決め部材Ａの固定と直角度を確保した接続が可能になる。
【００１８】
位置決め部材Ａを上記のように市松模様状に並べて行くが、図９（ａ）の符号ａや図９（ｂ）の符号ｂに示す床下地１上の端部の角部分は矩形枠状の位置決め部材Ａを設置することができないので、図１０（ａ）（ｂ）に示すように切断用溝部１０を利用して切断線ｃに沿って切断して図１０（ｃ）に示すように位置決め部材半体Ａ′を形成し、この位置決め部材半体Ａ′を符号ａ、ｂに示す角部に設置する。なお、図９（ａ）は床の壁際の周縁の部分がフロアパネルＢを適宜寸法に切断した端部用フロアパネルＢ′で施工される場合で、図９（ｂ）は床の壁際の周縁部分が上記フロアパネルＢとは別の端部専用パネルを用いて施工される場合である。図９（ｂ）の点々で図示した符号ｄの部分は位置決め部材Ａの不用な箇所である。上記ように位置決め部材半体Ａ′を設置するとき、切断用溝部１０に沿って切断するために所定位置を容易に切断することができる。また位置決め突部９より角側の位置に切断用溝部１０を設けてあるために位置決め部材半体Ａ′に位置決め突部９を残して切断することができる。
【００１９】
上記のように位置決め部材Ａを設置した後、位置決め部材Ａの角部に支柱Ｃを設置する。このとき位置決め部材Ａが回避部１２に挿通されるように支柱Ｃを設置すると共に位置決め穴８が位置決め突部９に挿通されるように設置する。隣り合う位置決め部材Ａの角部同士を接続用穴７と接続用突起６との嵌合で接続した部分では図１１に示すように支柱Ｃを設置する。このとき支柱Ｃは無接着で置くだけである。支柱Ｃを設置したとき、位置決め穴８が位置決め突部９に嵌合されて所定位置に位置決めされる。このとき、図１２に示すように位置決め穴８が長穴であるために位置決め突部９が長穴の長手方向に動き得るようになり、位置決め部材Ａの連結片５が温度変化等で伸縮してもその伸縮を吸収することができる。上記のようにして位置決め部材Ａの各角部に位置するように支柱Ｃが設置され、図１３のような状態になる。
【００２０】
上記の支柱Ｃを位置決め部材Ａの角部に設置されるが、床の壁際の周縁の部分がフロアパネルＢを適宜寸法に切断した端部用フロアパネルＢ′で施工される場合には図１４（ａ）（ｂ）の順に設置され、床の壁際の周縁部分が上記フロアパネルＢとは別の端部専用パネルを用いて施工される場合には図１５（ａ）（ｂ）に示す順に設置される。また上記支柱Ｃは別の高さ調整機能付の支柱Ｃ′を設置する場合、図１６（ａ）に示すように切断用溝部１０を切断線ｃにて切断して十字状の接続部を除去し、図１６（ｂ）（ｃ）のように支柱Ｃ′を設置することもできる。上記のようにフロアパネルＢを支持する支柱Ｃを設置した後、周縁の支持するため、支柱Ｃとは別の支持台３０を周縁に沿って床下地１上に設置する。床の壁際の周縁の部分がフロアパネルＢを適宜寸法に切断した端部用フロアパネルＢ′で施工される場合には図１７（ａ）（ｂ）に示すように壁際に沿って支持台３０が設置され、床の壁際の周縁部分が上記フロアパネルＢとは別の端部専用パネルを用いて施工される場合には図１８に示すよに壁際から所定寸法離れた位置に支持台３０が設置される。図１８で点々で図示せる符号ｅに示す部分は端部専用パネルを用いて施工される部分である。
【００２１】
位置決め部材Ａを敷設した後に図１９に示すようにフロアパネルＢを並べ、フロアパネルＢの四隅を支柱Ｃにて支持してある。図１９の例の場合、フロアパネルＢを適宜寸法に切断した端部用フロアパネルＢ′で周縁を施工するものであり、端部用フロアパネルＢ′を支持台３０と支柱Ｃとで支持してある。フロアパネルＢの四隅を支柱Ｃに支持するとき、図２０に示すように支柱Ｃの受け部１４の嵌合突起２６をフロアパネルＢの嵌合穴２５に嵌合し、フロアパネルＢの切り欠き部２０を受け部１４と押さえ板２８との間に挿入し、締め付けねじ２１を締め付けてある。このようにフロアパネルＢを施工した後、フロアパネルＢの上面にはタイルカーペットのような表面仕上げ材３６が敷設される。
【００２２】
また位置決め部材Ａの連結片５の適所には取り付け部１１として突起１１ａを図２１に示すように設けてあり、帯板状の配線器具取着部材Ｄの長手方向の端部には被取り付け部３１として切欠３１ａを設けてある。そして隣り合う連結片５間に配線器具取着部材Ｄが架設してあり、切欠３１ａを突起１１ａに係合させて取り付けてある。配線器具取着部材Ｄにはねじ穴３２を設けてあり、ハーネスジョイントボックスのような配線器具３３を取り付ける際、配線器具３３からねじ穴３２にねじ３４に螺合して取り付けてある。
【００２３】
【発明の効果】
本発明の請求項１の発明は、４辺の連結片で矩形枠状をなすように一体に形成された位置決め部材を床下地等の被設置面の上に並べると共に隣り合う位置決め部材の角部同士を接続した状態で位置決め部材の角部にフロアパネル支持用の支柱を設置して成る二重床の構造であるので、複数の位置決め部材を被設置面上に市松模様状等の形状に並べると共に隣接する角部同士を接続するように設置し、位置決め部材の角部に支柱を位置決めして支柱を設置することができるものであって、被設置面にフロアパネルのモジュールに対応した数多くの墨出し線を入れる必要なく支柱を位置決めできて墨出し線を入れる手間を少なくできるものであり、しかも位置決め部材の角部に支柱を位置決めして支柱を設置できることにより支柱の位置決めが容易にできると共に支柱を無接着で固定できるものであり、また矩形枠状に一体に形成した位置決め部材を並べて施工できて構造を簡単にできると共に施工性を向上できるものであり、さらに、上記支柱に、位置決め部材の回避部と位置決め部材の各連結片に設けた位置決め突部を挿通する位置決め穴とを有して被設置面に当接するベース部と、ベース部より上方にてフロアパネルを支持する受け部とを備え、前記位置決め穴をベース部にその周方向に９０°の間隔を隔てて穿孔し、各位置決め穴をベース部の径方向に長さの長くなる長孔状に形成したので、位置決め部材の回避部に位置決め部材を通すと共に位置決め穴に各連結片に設けた位置決め突部を挿通することで位置決め部材の角部の所定位置に支柱を位置決めして固定できると共にフロアパネルは受け部に受けて支柱に支持できるものであり、しかも前記位置決め穴に連結片の伸縮変形に伴う位置決め突部の変位を許容するスペースが設けられて、位置決め部材の連結片が温度変化等で伸縮しても位置決め突部が位置決め穴に対して動き得てその伸縮を吸収することができるものである。
【００２４】
また本発明の請求項２の発明は、請求項１の効果に加えて、前記位置決め部材において、四隅の角部のうちいずれかの角部の上面に接続用突起が設けられると共に接続用突起を設けた角部と異なる角部に接続用突起を挿入して嵌合し得る接続用穴が設けられたので、隣り合う位置決め部材の角部同士は接続用突起の接続用穴への嵌合にて接続でき、位置決め部材の角部同士の接続が別部材を用いたりすることなく容易にできて位置決め部材の設置が容易できるものである。
【００２５】
さらに、接続用穴が設けられた角部が連結片の厚み分の段上げがされたので、接続用突起と接続用穴とを嵌合して接続した部分でも位置決め部材の下面が浮き上がったりしないように施工できるものである。
【００２６】
また本発明の請求項３の発明は、請求項２の効果に加えて、前記接続用突起及び接続用穴は各々一つの角部に複数個設けられたので、隣接する位置決め部材の角部同士を接続するとき複数個の接続用突起と接続用穴とが嵌合され、位置決め部材同士の固定と直角度を確保した連結が可能となるものである。
【００２７】
また本発明の請求項４の発明は、請求項１の効果に加えて、前記位置決め部材において、支柱の位置決め穴に挿通して位置決めする位置決め突部が前記角部の近傍に設けられたので、位置決め部材の角部に支柱を位置決めして設置するとき位置決め突部を位置決め穴に挿通して位置決めでき、支柱を位置決め部材の角部に簡単且つ確実に位置決めして固定できるものであり、さらに位置決め突部と角部との間に切断用溝部が設けられたので、矩形枠状の位置決め部材を切断してＬ字状の位置決め部材半体として用いる場合、切断用溝部にて所定位置を容易に切断できて施工性を向上できるものである。
【００２８】
また本発明の請求項５の発明は、請求項１の効果に加えて、前記位置決め部材において、対向する連結片間に架設される配線器具取着部材の取り付け部が前記連結片に設けられたので、被設置面に設置した位置決め部材の連結片の取り付け部に配線器具取着部材を容易に取り付けることができるものである。
【図面の簡単な説明】
【図１】本発明の実施の形態の一例の位置決め部材の平面図である。
【図２】同上のフロアパネルを示し、（ａ）は底面図、（ｂ）は（ａ）のＸ−Ｘ線断面図である。
【図３】同上の支柱の平面図である。
【図４】（ａ）は図３のＡ−Ｚ−Ａ線断面図、（ｂ）は図３のＢ−Ｚ−Ｂ線断面図である。
【図５】同上の位置決め部材を設置した状態の斜視図である。
【図６】（ａ）（ｂ）は位置決め部材を設置する過程を説明する平面図である。
【図７】同上の位置決め部材を設置する状態を説明する斜視図である。
【図８】同上の位置決め部材の角部同士を接続する状態を示す斜視図である。
【図９】同上の位置決め部材を切断して施工する部分を説明する平面図であって、（ａ）（ｂ）は異なる施工例を示す。
【図１０】（ａ）（ｂ）（ｃ）は同上の位置決め部材を切断する状態を説明する斜視図である。
【図１１】同上の位置決め部材に支柱を位置決めして設置する状態を説明する斜視図である。
【図１２】同上の支柱を位置決めした状態の要部を拡大せる斜視図である。
【図１３】同上の支柱を設置した状態を説明する斜視図である。
【図１４】（ａ）（ｂ）は同上の支柱を並べる状態の一例を説明する平面図である。
【図１５】（ａ）（ｂ）は同上の支柱を並べる状態の他例を説明する平面図である。
【図１６】（ａ）（ｂ）（ｃ）は同上の他の支柱を設置する状態を説明する斜視図である。
【図１７】（ａ）は同上の支柱や支持台を設置する位置を説明する平面図、（ｂ）は要部の斜視図である。
【図１８】同上の支柱や支持台を設置する位置の他の例を説明する平面図である。
【図１９】同上のフロアパネルを敷設した状態を示す一部切欠斜視図である。
【図２０】同上のフロアパネルを支柱に支持した状態の要部の断面図である。
【図２１】（ａ）（ｂ）は同上の配線器具取着部材の取り付ける状態を示す斜視図である。
【図２２】従来例を説明する平面図である。
【符号の説明】
Ａ 位置決め部材
Ａ′ 位置決め部材半体
Ｂ フロアパネル
Ｃ 支柱
Ｄ 配線器具取着部材
１ 床下地
５ 連結片
６ 接続用突起
７ 接続用穴
８ 位置決め穴
９ 位置決め突部
１０ 切断用溝部
１１ 取り付け部
１２ 回避部
１３ ベース部
１４ 受け部
【図１】
0003985543.tif 000002
【図２】
0003985543.tif 000003
【図３】
0003985543.tif 000004
【図４】
0003985543.tif 000005
【図５】
0003985543.tif 000006
【図６】
0003985543.tif 000007
【図７】
0003985543.tif 000008
【図８】
0003985543.tif 000009
【図９】
0003985543.tif 000010
【図１０】
0003985543.tif 000011
【図１１】
0003985543.tif 000012
【図１２】
0003985543.tif 000013
【図１３】
0003985543.tif 000014
【図１４】
0003985543.tif 000015
【図１５】
0003985543.tif 000016
【図１６】
0003985543.tif 000017
【図１７】
0003985543.tif 000018
【図１８】
0003985543.tif 000019
【図１９】
0003985543.tif 000020
【図２０】
0003985543.tif 000021
【図２１】
0003985543.tif 000022
【図２２】
0003985543.tif 000023